(57)【特許請求の範囲】
【請求項１】
撮像部により得られた撮像信号から動画像信号と３原色信号でなる静止画像信号とを生成するカメラ部処理部と、
上記動画像信号を格納する動画用フレームメモリと、
シヤツタ状記録ボタンが押下された瞬間の上記３原色でなる静止画像信号を格納する静止画用フレームメモリと、
上記動画用フレームメモリ及び上記静止画用フレームメモリから上記動画像信号及び上記静止画像信号のデータを順次読み出して記録媒体に記録し再生する記録再生手段と、
上記記録媒体から上記動画像信号及び上記静止画像信号を再生し、動画像信号用の画像信号出力端子を介して画像出力装置へ伝送する際に、上記動画像信号と上記静止画像信号とを識別するための画像識別データを上記動画像信号と上記静止画像信号との境界に位置するＶＢＩＤ(Vertical Blanking including aspect ratio Identifications)データの空き領域に付加するとともに、静止画画像信号の各色を識別するための色識別データを上記静止画画像信号の各色の境界に位置する上記ＶＢＩＤデータの空き領域に付加する信号処理手段と
を具えることを特徴とする映像信号伝送装置。
【発明の詳細な説明】
【０００１】
【目次】
以下の順序で本発明を説明する。
産業上の利用分野
従来の技術
発明が解決しようとする課題
課題を解決するための手段（図１〜図３）
作用（図１〜図３）
実施例（図１〜図５）
発明の効果
【０００２】
【産業上の利用分野】
本発明は映像信号伝送装置及び画像出力装置に関し、例えばビデオプリンタやコンピユータのように静止画像を扱う画像出力装置に映像信号を伝送する場合に適用して好適なものである。
【０００３】
【従来の技術】
従来、この種の映像信号伝送装置として例えばビデオテープレコーダ（ＶＴＲ）がある。ＶＴＲは再生した映像信号を所定のビデオ端子を介して外部の画像出力装置に伝送することにより記録した画像を画像出力装置により出力することができる。
画像出力装置としてのビデオプリンタは、ＶＴＲから伝送されてくる映像信号から所望の１フレーム分を抜き出すことにより、当該１フレーム分の静止画像に基づいた静止画像を印画する。またコンピユータではＶＴＲから伝送されてくる映像信号の１フレーム分の静止画像に基づいて所望の画像処理を施すことができる。
さらに映像信号伝送装置としてデイジタル記録方式のカメラ一体型ＶＴＲを用いれば、情報源として一段と高解像度の映像情報をもつことができる。
【０００４】
【発明が解決しようとする課題】
ところが、デイジタルＶＴＲによつていくら高解像度の映像情報をもつことができたとしても、当該映像情報が伝送時に帯域制限されるため、画像出力装置側に伝送される映像信号は結局解像度が低下してしまう。例えばデイジタルＶＴＲのビデオ端子から出力されるアナログ映像信号は、輝度信号と色信号を複合してなるコンポジツトビデオ信号や、輝度信号と帯域制限された色差信号とからなるセパレートビデオ信号（所謂Ｓビデオ信号）であり、いずれも帯域制限されている。
この結果例えば伝送された映像信号がコンポジツトビデオ信号であつた場合には、ビデオプリンタ側で輝度信号とクロマ信号とを分離する際に所謂クロスカラーやドツト障害等が生じることにより、結局得られる静止画像は色解像度が低下したものとなつてしまう。
【０００５】
かかる課題を解決する一つの方法として、帯域制限された動画像用信号に加えて、静止画像用の三原色信号を予め記録し、ビデオプリンタやモニタに動画像用信号と共に静止画用の三原色信号を伝送することにより、ビデオプリンタやモニタ側で三原色信号に基づく画質劣化のない静止画像を得ることができるＶＴＲ装置が提案されている。
しかしながら、このＶＴＲ装置、ビデオプリンタ及びモニタにおいては、動画像信号用としてのＲＣＡコネクタ、ＢＮＣコネクタ又はＳコネクタに加えて、三原色信号用のＲＧＢコネクタが必要となり、この分構成が複雑になると共に、ＲＧＢコネクタを有する機種以外には高解像度の静止画像を伝送することができない欠点があつた。
【０００６】
本発明は以上の点を考慮してなされたもので、従来の帯域制限された動画像を伝送するための伝送路のみを用いて、帯域制限した動画像用信号に加えてコンポーネントビデオ信号でなる静止画像用信号を伝送できると共に、画像出力装置側で動画像用信号と静止画像用信号とを容易に分離して高画質の静止画像を得ることができる映像信号伝送装置及び画像出力装置を提案しようとするものである。
【０００７】
【課題を解決するための手段】
かかる課題を解決するため本発明においては、撮像部により得られた撮像信号から動画像信号と、３原色信号でなる静止画像信号とを生成するカメラ部処理部と、動画像信号を格納する動画用フレームメモリと、シヤツタ状記録ボタンが押下された瞬間の３原色でなる静止画像信号を格納する静止画用フレームメモリと、動画用フレームメモリ及び静止画用フレームメモリから動画像信号及び静止画像信号のデータを順次読み出して記録媒体に記録し再生する記録再生手段と、記録媒体から動画像信号及び静止画像信号を再生し、動画像信号用の画像信号出力端子を介して画像出力装置へ伝送する際に、動画像信号と静止画像信号とを識別するための画像識別データを動画像信号と静止画像信号との境界に位置するＶＢＩＤ(Vertical Blanking including aspect ratio Identifications)データの空き領域に付加するとともに、静止画画像信号の各色を識別するための色識別データを静止画画像信号の各色の境界に位置するＶＢＩＤデータの空き領域に付加する信号処理手段とを設けるようにする。
【０００８】
また本発明においては、静止画像用のコンポーネントビデオ信号は三原色信号でなり、伝送信号生成手段２９、３０は、三原色信号の各原色信号をそれぞれ面順次に配列して伝送信号Ｓ８を生成し、識別情報付加手段３３は、画像識別情報に加えて三原色信号の各色を識別するための色識別情報を付加するようにする。
【０００９】
【作用】
撮像部により動画像信号を撮像しながら所望のタイミングでシヤツタ状記録ボタンが押下された瞬間の３原色でなる静止画像信号を撮像信号から生成して動画像用信号と共に記録媒体に記録し、当該記録媒体を再生したことにより得られる動画像信号及び静止画像信号を動画像信号用の画像信号出力端子を介して画像出力装置へ伝送する際に、動画像信号と静止画像信号とを識別するための画像識別データを当該動画像信号と静止画像信号との境界に位置するＶＢＩＤデータの空き領域に付加するとともに、静止画像信号の各色を識別するための色識別データを静止画像信号の各色の境界に位置するＶＢＩＤデータの空き領域に付加することにより、動画像信号用の画像信号出力端子を介して動画像信号及び静止画像信号の供給を受けた画像出力装置では画像識別データに基づいて動画像信号であることを判別した場合にはモニタを介して動画像として出力しながら、当該動画像信号に続く次の画像が静止画像であると判別した場合には、色識別データに基づいて３原色信号のいずれであるかを判別して高解像度の静止画として出力することができる。
【００１０】
【実施例】
以下図面について、本発明の一実施例を詳述する。
【００１１】
図１において、１は全体してカメラ一体型ビデオテープレコーダ（以下これをＶＴＲ装置と呼ぶ）を示し、帯域制限された動画像用信号と共に三原色信号でなる静止画像用信号をコンポジツトビデオ出力端子及び又はＳビデオ出力端子を介して伝送し得るようになされている。
【００１２】
ＶＴＲ装置１は撮像部を有する記録系２によつて、撮像信号から輝度信号Ｙ及び色差信号Ｒ−Ｙ、Ｂ−Ｙでなる動画像用信号を生成すると共に、Ｒ（赤）Ｇ（緑）Ｂ（青）三原色信号でなる静止画像用信号を生成し、当該動画像用信号及び静止画像用信号を圧縮符号化して記録する。
またＶＴＲ装置１は再生系３によつて、磁気テープ上に記録された動画像用信号及び三原色信号を再生すると共に、当該動画像用信号と三原色信号とを識別するための識別情報を付加してコンポジツトビデオ出力端子及び又はＳビデオ出力端子を介して出力する。
【００１３】
記録系２は光学系４で得た撮像光をＣＣＤ（Charge Coupled Device ）撮像系５で光電変換することによりＲ、Ｇ及びＢの三原色信号を生成し、これをアナログデイジタル変換回路（Ａ／Ｄ）６を介してカメラ部信号処理部７に送出する。
【００１４】
カメラ部信号処理部７はＲＧＢ三原色信号に対して自動ホワイト調整、ブラツク調整、ガンマ補正、デイテイル信号付加等の信号処理を施した後、静止画用ＲＧＢフレームメモリ８に送出すると共に、内蔵されたマトリツクス回路によりＲＧＢ三原色信号から輝度信号Ｙ及び２つの色差信号Ｂ−Ｙ、Ｒ−Ｙを生成しこれを動画用フレームメモリ９に送出する。
因に、静止画用ＲＧＢフレームメモリ８には、ユーザインターフエース部１０のシヤツタ状記録ボタンが押された瞬間の１フレーム分の映像がＲＧＢ三原色信号の３フレーム分のデータとして書き込まれる。
【００１５】
静止画用ＲＧＢフレームメモリ８及び動画用フレームメモリ９に書き込まれたデータは、例えば８画素×８ラインの領域にブロツクキングされて読み出されてセレクタ１１に送出される。
セレクタ１１はシステムコントローラ１２からの記録モード信号Ｓ１に基づいて選択的に静止画像データＤ１又は動画像データＤ２を続く圧縮符号化ブロツク１３に送出する。ここでシステムコントローラ１２から送出される記録モード信号Ｓ１は、ユーザインターフエース１０からの動画像記録指令又は静止画像記録指令を表わす操作信号Ｓ２に基づいて出力される。
【００１６】
圧縮符号化ブロツク１３は記録モード信号Ｓ１に基づいて動作を切り換えることにより、入力された静止画像データＤ１及び動画像データＤ２のそれぞれに適応した圧縮符号化処理を施し、これにより得た圧縮画像データＤ３をエラー訂正コード付加回路１４に送出する。
一方、ＶＴＲ装置１はマイクロホン１５で得た音声信号ＳAUD をアナログデイジタル変換回路（Ａ／Ｄ）１６を介してオーデイオ記録信号処理回路１７に出力し、当該オーデイオ記録信号処理回路１７によつてインターリーブ等の処理を施した後、エラー訂正コード付加回路１４に送出する。
【００１７】
エラー訂正コード付加回路１４は、圧縮画像データＤ３及び圧縮音声データＤ４に対して再生時のエラー訂正のためのエラー訂正符号を付加する。これに加えてエラー訂正コード付加回路１４はシステムコントローラ１２からの記録モード信号Ｓ３に基づく付加情報（静止画像記録か動画像記録かを示すフラグ信号）を付加する。
【００１８】
エラー訂正コード付加回路１４の出力はチヤンネルコーデイング回路１５に送出され、ここでテープ上に記録するための符号化処理であるチヤンネルコーデイングが施されることによりチヤンネルコーデイングデータＤ５が生成される。チヤンネルコーデイングデータＤ５は記録アンプ１６で増幅された後、記録／再生部１７に供給される。記録／再生部１７は回転ドラム及び磁気テープを走行させる走行機構を有し、入力した記録データをロータリトランスを介して記録ヘツドに与えることにより磁気テープ上に記録する。かくして磁気テープ上には、輝度信号Ｙと２つの色差信号Ｒ−Ｙ、Ｂ−Ｙでなる動画像用信号、ＲＧＢ三原色信号でなる静止画像用信号が音声信号と共に記録される。
【００１９】
このようにして磁気テープ上に記録された記録データは、再生系３により再生される。すなわちユーザインターフエース１０からの操作信号Ｓ２に基づいてシステムコントローラ１２から再生を指示する制御信号Ｓ４が記録／再生部１７に入力されると、記録／再生部１７の再生ヘツドが記録データを再生し、これを再生アンプ１８を介してデータ抽出回路１９に送出する。
データ抽出回路１９は再生データＤ６からデータクロツクを抽出すると共に、当該データクロツクに基づいて再生データＤ７を形成し、この再生データＤ７をチヤンネルデコーデイング回路２０に送出する。チヤンネルデコーデイング回路２０はチヤンネルコーデイング回路１５と逆の処理を行い、チヤンネルコーデイング回路１５でテープ上に記録するために符号化されたデータを復号する。
【００２０】
エラー訂正処理回路２１はエラー訂正処理を施すことにより、再生圧縮画像データＤ８、再生音声データＤ９及び再生付加情報データＤ１０を得、このうち再生圧縮画像データＤ８を圧縮復号ブロツク２２に、再生音声データＤ９をオーデイオ再生信号処理回路２３に送出すると共に、再生付加情報データＤ１０をシステムコントローラ１２に送出する。オーデイオ再生信号処理回路２３は記録時に施されたインターリーブ等の処理を戻し、この結果得られた音声データをＤ／Ａ変換回路２４を介して音声信号出力端子２５に供給する。
【００２１】
システムコントローラ１２は再生付加情報データＤ１０に基づいて、圧縮復号ブロツク２２及びセレクタ２６に、再生した再生圧縮画像データＤ８が静止画像データか又は動画像データかを表わすフラグ信号でなる再生モード信号Ｓ５を送出する。これにより圧縮復号ブロツク２２では、再生モード信号Ｓ５に基づいて静止画像データ及び動画像データのそれぞれに適した圧縮復号処理を施すことができ、続くセレクタ２６では、再生モード信号Ｓ５に基づいて接続を切り換えることにより静止画像データＤ１２を静止画像用ＲＧＢフレームメモリ２７に供給すると共に動画像データＤ１３を動画像用フレームメモリ２８に供給する。
【００２２】
静止画用ＲＧＢフレームメモリ２７及び動画像用フレームメモリ２８は、それぞれ入力した静止画像データＤ１２及び動画像データＤ１３に対して記録時に施された８×８のブロツキングを戻すデブロツキング処理を施し、この結果得られたデブロツキングデータＤ１４及びＤ１５を出力信号セレクタ２９に送出する。出力信号セレクタ２９はシステムコントローラ１２からの出力選択制御信号Ｓ６に基づいて動画像データ又は静止画像データを選択的にデイジタルアナログ変換回路（Ｄ／Ａ）３０に送出する。Ｄ／Ａ変換回路３０は静止画像データ及び動画像データをアナログ信号に変換すると共に、システムコントローラ１２からの出力選択制御信号Ｓ６に基づいて静止画像信号と動画像信号とを識別するための識別データを付加し、これを画像信号出力端子３１に供給する。
【００２３】
実施例の場合、静止画用ＲＧＢフレームメモリ２７、動画用フレームメモリ２８、出力信号セレクタ２９及びＤ／Ａ変換回路３０は、図２に示すように構成されている。
すなわちセレクタ２６から出力された静止画用のＲＧＢ三原色信号はそれぞれ静止画用ＲＧＢフレームメモリ２７のＲチヤンネルフレームメモリ２７Ａ、Ｇチヤンネルフレームメモリ２７Ｂ及びＢチヤンネルフレームメモリ２７Ｃに格納されると共に、セレクタ２６から出力された動画像データＤ１３の各信号成分はそれぞれ動画用フレームメモリ２８のＹチヤンネルフレームメモリ２８Ａ、Ｒ−Ｙチヤンネルフレームメモリ２８Ｂ及びＢ−Ｙチヤンネルフレームメモリ２８Ｃに格納される。
【００２４】
出力信号セレクタ２９は静止画用ＲＧＢフレームメモリ２７からのＲＧＢ三原色信号を受けると共に動画用フレームメモリ２８からの輝度信号Ｙを受け、これらの信号をシステムコントローラ１２からの出力選択制御信号Ｓ６に基づいて選択的に所定の順序でＤ／Ａ変換器３２を介してＶＢＩＤ（Vertical Blanking including aspect ratio Identifications）付加部３３に送出する。このとき出力信号セレクタ２９は、出力選択制御信号Ｓ６に基づいた、輝度信号Ｙの間の位置に静止画用のＲＧＢ三原色信号が面順次に配列するように出力する。
【００２５】
ＶＢＩＤ付加部３３は出力選択制御信号Ｓ６に基づいて、動画像信号（すなわちＹチヤンネルフレームメモリ２８Ａからの輝度信号Ｙ）と静止画像信号（すなわち静止画用ＲＧＢフレームメモリ２７からのＲＧＢ三原色信号）との境界位置に動画像信号と静止画像信号を識別するための識別データを付加すると共に、ＲＧＢ三原色信号の各色の境界位置に各色を識別するための識別データを付加する。
これによりＶＴＲ装置１においては、再生信号を外部の画像出力装置（例えばプリンタ装置）に伝送した際、画像出力装置側で識別データに基づいて動画像信号とＲＧＢ三原色信号を容易に識別し得ると共に、ＲＧＢ三原色信号の各色を容易に識別し得るようになされている。
【００２６】
識別データが付加された信号Ｓ７はＹ／Ｃ混合回路３４に送出されると共に、バツフア３５を介してＳビデオ出力端子の輝度信号出力端子３１Ｂに供給される。
一方、動画像用フレームメモリ２８から出力される色差信号Ｒ−Ｙ及びＢ−Ｙは、それぞれＤ／Ａ変換器３６、３７を介してクロマ信号エンコーダ３８に送出され、当該クロマ信号エンコーダ３８によつて帯域制限を受けた後、Ｙ／Ｃ混合回路３４に送出されると共にバツフア３９を介してＳビデオ出力端子のクロマ信号出力端子３１Ｃに供給される。
Ｙ／Ｃ混合回路３４は、ＶＢＩＤ付加部３３から出力された信号Ｓ７に含まれる輝度信号Ｙに、クロマ信号エンコーダ３８から出力された帯域制限された色差信号Ｒ−Ｙ及びＢ−Ｙを重畳し、この結果得られるコンポジツトビデオ信号Ｓ８をバツフア４０を介してコンポジツトビデオ出力端子３１Ａに供給する。
【００２７】
かくしてＶＴＲ装置１においては、コンポジツトビデオ出力端子３１Ａに動画用のコンポジツトビデオ信号と共に静止画用のＲＧＢ三原色信号を供給することができる。同様に、Ｓビデオ出力端子の輝度信号出力端子３１Ｂにも静止画用のＲＧＢ三原色信号を供給することができる。この結果例えばプリンタ装置等の画像出力装置側で、コンポジツトビデオ出力端子３１Ａ又はＳビデオ出力端子３１Ｂ、３１Ｃからのビデオ出力を受ければ、動画像と共に高解像度の静止画像を得ることができる。
【００２８】
かかる構成によりＶＴＲ装置１は、図３に示すように、動画像信号の間の３フレーム期間内に１静止画像分のＲＧＢ三原色信号を面順次に配列して伝送することができる。
実施例の場合、動画像信号と静止画像信号、及び静止画像信号の各色を識別するための識別データは、日本電子工業会で規格化された垂直帰線期間の所定位置に挿入される識別データ（所謂ＶＢＩＤ（Vertical Blanking including aspect ratio Identifications））内に入れるようになされている。このＶＢＩＤデータは各フレームの20ライン目と 283ライン目に記録するように規格化されている。
【００２９】
因にＶＢＩＤデータは、図４（Ａ）に示すように、６ビツトのデータ領域WORD0 、４ビツトのデータ領域WORD1 、４ビツトのデータ領域WORD2 及び６ビツトのデータ領域CRC により構成されている。このうちデータ領域WORD0 には伝送アスペクト比や画像表示形式を表わす識別コードが割り当てられている（図４（Ｂ））。
【００３０】
ＶＢＩＤ付加部３３（図２）は、ＶＢＩＤ内のデータ領域WORD1 の２ビツト目及び３ビツト目に上述した識別データを割り付けるようになされている（図４（Ｃ））。その識別コードとしては、図４（Ｄ）に示すように、次に到来するデータが動画像データである場合には２ビツト目及び３ビツト目を共に「０」とし、静止画用のＲＧＢ三原色信号のうちＲチヤンネル信号である場合には２ビツト目を「１」、３ビツト目を「０」とし、Ｇチヤンネル信号である場合には２ビツト目を「０」、３ビツト目を「１」とし、Ｂチヤンネル信号である場合には２ビツト目及び３ビツト目を共に「１」とするようになされている。
【００３１】
これによりＶＴＲ装置１は、ＶＢＩＤデータの空き領域に動画像信号と静止画像信号とを識別すると共に、静止画像信号の各色を識別するための識別データを割り付けたことにより、データ量の増大を抑制して有効に識別データを伝送することができる。また画像出力装置側では、この識別データを検出することにより、続いて到来する画像信号の種別を容易に識別できる。
【００３２】
すなわち図５に示すように、画像出力装置として例えばプリンタ装置５０では、ＶＴＲ装置１からのコンポジツトビデオ出力信号Ｓ８を入力すると、ユーザインターフエース５１からの操作信号Ｓ２０に基づきプリンタ制御部５２で得られる切換え制御信号Ｓ２１によりスイツチヤ５３を切り換えて、コンポジツトビデオ出力信号Ｓ８をモニタ５４又はプリント部５５に供給する。
【００３３】
プリント部５５に供給されたコンポジツトビデオ信号Ｓ８はＡ／Ｄ変換回路５６を介してＲチヤンネルフレームメモリ５７Ａ、Ｇチヤンネルフレームメモリ５７Ｂ又はＢチヤンネルフレームメモリ５７Ｃに選択的に供給される。このときプリント部５５はＶＢＩＤ検出回路５８によりコンポジツトビデオ信号Ｓ８に付加されたＶＢＩＤデータを検出し、この結果得られた検出信号Ｓ２２を書込み制御回路５９に送出する。書込み制御回路５９は検出信号Ｓ２２に基づいてＲチヤンネルフレームメモリ５７Ａ、Ｇチヤンネルフレームメモリ５７Ｂ及びＢチヤンネルフレームメモリ５７Ｃの書込み動作を制御して、コンポジツトビデオ信号Ｓ８に含まれるＲＧＢ三原色信号の各色信号をそれぞれに対応したフレームメモリ５７Ａ、５７Ｂ又は５７Ｃに書き込むようになされている。
【００３４】
各フレームメモリ５７Ａ〜５７Ｃに格納されたＲＧＢ三原色信号は所定の順序でプリンタヘツド６０に供給され、かくしてＲＧＢ三原色信号に基づいた鮮明なプリント画像が得られる。またユーザはモニタ５４上に表示される動画像を見ながら、プリントする静止画像を選択できる。
【００３５】
以上の構成において、ＶＴＲ装置１の撮像部により得られた撮像信号はカメラ部処理部７によつてＲＧＢ三原色信号でなる静止画用信号と、輝度信号Ｙ及び色差信号Ｂ−Ｙ、Ｒ−Ｙでなる動画像用信号とに分けられ、各々圧縮符号化された後、記録／再生部１７によつて磁気テープ上に記録される。
【００３６】
記録／再生部１７によつて再生された再生データは伸長及び復号された後、出力信号セレクタ２９に送られる。出力信号セレクタ２９は動画像用信号とＲＧＢ三原色信号でなる静止画像用信号とを時分割多重して出力する。このときＲＧＢ三原色信号だけを見れば、３フレーム期間内にＲ成分、Ｇ成分及びＢ成分が面順次に配列される。続くＤ／Ａ変換器３０は、動画像用信号を帯域制限すると共に、動画像用信号と静止画像用信号との境界位置、及び静止画像用信号の各色の境界位置に、動画像用信号と静止画像用信号、及び静止画像用信号の各色を識別するための識別データを付加する。
【００３７】
この結果ＶＴＲ装置１からは、図３に示すように、帯域制限された動画像用信号の間の３フレーム期間内に、１フレーム分の静止画像を形成するＲＧＢ三原色信号が面順次に配列されると共に、動画像用信号と静止画像用信号、及び静止画像用信号の各色を識別するための識別データが付加されて伝送される。
これによりＶＴＲ装置１は、コンポジツトビデオ出力端子３１ＡやＳビデオ出力端子３１Ｂ、３１Ｃを介して、帯域制限された動画像信号に加えて三原色信号でなる静止画用信号を出力し得る。
【００３８】
またこのようにして伝送されたコンポジツトビデオ出力信号やＳビデオ出力信号を受けるプリンタ装置５０側では、動画像用信号をモニタ５４上に表示すると共に、識別データに基づいて、動画像用信号の間に挿入されたＲＧＢ静止画像用信号を選択的に抜き出してプリンタ部５５のプリンタヘツド６０に供給する。この結果ユーザはモニタ５４上に動画像を表示できると共に、ＲＧＢ三原色信号に基づく鮮明なプリント画像を得ることができる。
【００３９】
以上の構成によれば、帯域制限された動画像信号間の３フレーム分の領域に１フレーム分のＲＧＢ三原色信号でなる静止画像信号を面順次に配列して伝送するようにしたことにより、従来の帯域制限された動画像信号を伝送するための伝送路を用いて動画像信号と共に解像度の高い静止画像信号を伝送することができる。
【００４０】
またこのとき動画像信号とＲＧＢ三原色信号の境界位置、及びＲＧＢ三原色の各色の境界位置を表わす識別データを付加するようにしたことにより、画像出力装置５０側で、容易に映像信号とＲＧＢ三原色信号を分離できると共に容易にＲＧＢ三原色信号の各色を分離できる。この結果出力装置５０側では、モニタ５４上に動画像を表示できると共に、高解像度の静止画像を得ることができる。
さらに画像出力装置５０側で静止画を得るためのカラーデコード処理部が不要となり、この分構成が簡易化した画像出力装置５０を得ることができる。
【００４１】
なお上述の実施例においては、動画像信号とＲＧＢ三原色信号の境界位置、及びＲＧＢ三原色の各色の境界位置を表わす識別データを各フイールド間に設けられたＶＢＩＤ内に付加するようにした場合について述べたが、本発明はこれに限らず、識別データをＶＢＩＤ以外の箇所に付加するようにしてもよい。
【００４２】
また上述の実施例においては、動画像用信号と共に伝送する静止画像用信号としてＲＧＢ三原色信号を用いた場合について述べたが、本発明はこれに限らず、静止画像用信号として例えば輝度信号と２つの色差信号とでなるコンポーネントビデオ信号を適用した場合にも上述の実施例の場合と同様の効果を得ることができる。
【００４３】
さらに上述の実施例においては、本発明をカメラ一体型ビデオテープレコーダ１に適用した場合について述べたが、本発明はこれに限らず、例えば記録再生部をもたず、直接映像信号を伝送するようなテレビジヨンカメラ等に適用することもでき、またはカメラ部をもたず、記録媒体に記録されたコンポーネントビデオ信号を再生して伝送するような再生装置にも適用することができる。
【００４４】
例えば再生装置に本発明を適用する場合には、記録媒体から再生されたコンポーネントビデオ信号から帯域制限された動画像用信号を生成すると共に、帯域制限されていない静止画像用信号を生成した後、上述の実施例のように動画像用信号と静止画像用信号とを時分割多重し、これらの境界位置を識別するための識別データを付加して伝送するようにすればよい。
【００４５】
【発明の効果】
上述のように本発明によれば、撮像部により動画像信号を撮像しながら所望のタイミングでシヤツタ状記録ボタンが押下された瞬間の３原色でなる静止画像信号を撮像信号から生成して動画像用信号と共に記録媒体に記録し、当該記録媒体を再生したことにより得られる動画像信号及び静止画像信号を動画像信号用の画像信号出力端子を介して画像出力装置へ伝送する際に、動画像信号と静止画像信号とを識別するための画像識別データを当該動画像信号と静止画像信号との境界に位置するＶＢＩＤデータの空き領域に付加するとともに、静止画像信号の各色を識別するための色識別データを静止画像信号の各色の境界に位置するＶＢＩＤデータの空き領域に付加することにより、動画像信号用の画像信号出力端子を介して動画像信号及び静止画像信号の供給を受けた画像出力装置では画像識別データに基づいて動画像信号であることを判別した場合にはモニタを介して動画像として出力しながら、当該動画像信号に続く次の画像が静止画像であると判別した場合には、色識別データに基づいて３原色信号のいずれであるかを判別して高解像度の静止画として出力し得る映像信号伝送装置を実現することができる。
【図面の簡単な説明】
【図１】本発明による映像信号伝送装置の一実施例のカメラ一体型ビデオテープレコーダの全体構成を示すブロツク図である。
【図２】その信号出力部の詳細構成を示すブロツク図である。
【図３】実施例による映像信号伝送方式の説明に供する略線的信号波形図である。
【図４】識別データの割付けの説明に供する図表である。
【図５】実施例のプリンタ装置の構成を示すブロツク図である。
【符号の説明】
１……カメラ一体型ビデオテープレコーダ、７……カメラ部信号処理部、８、２７……静止画用ＲＧＢフレームメモリ、９、２８……動画用フレームメモリ、２９……出力信号セレクタ、３０……デイジタルアナログ変換回路、３１Ａ……コンポジツトビデオ出力端子、３１Ｂ、３１Ｃ……Ｓビデオ出力端子、３３……ＶＢＩＤ付加部、３４……Ｙ／Ｃ混合回路、５８……ＶＢＩＤ検出回路。
【図１】
0003685817.tif 000002
【図２】
0003685817.tif 000003
【図３】
0003685817.tif 000004
【図４】
0003685817.tif 000005
【図５】
0003685817.tif 000006